(57)【特許請求の範囲】
【請求項１】
略平行に配置された長尺の板状部材間に、複数の山形の羽板が長尺方向に間隔をあけて設けられ、
前記長尺の板状部材及び前記複数の山形の羽板は、略平行な板材の間に予め複数の略平行な板状の仕切り部を略等間隔で略垂直に設けた中空構造材から所要角度に上下対称に切り出した部材を重ねて接合し形成されていることを特徴とする換気用ガラリ。
【請求項２】
前記長尺の板状部材は矩形であり、これら矩形で長尺の板状部材の両端に矩形で短尺の板状部材を設けて枠体が構成されていることを特徴とする請求項１に記載の換気用ガラリ。
【請求項３】
前記換気用ガラリは、長尺方向において、左右の端部パーツ及び少なくとも１個の中間パーツを連結して成り、連結される前記中間パーツの個数で、所要長さに構成されていることを特徴とする請求項１又は２に記載の換気用ガラリ。
【請求項４】
略平行に配置された長尺の板状部材間に、複数の山形の羽板が長尺方向に間隔をあけて設けられた換気用ガラリのいずれか一方の前記長尺の板状部材に予め水切シートの上端部が貼り付けられており、建物の壁部にスリット状の換気口が設けられ、前記換気用ガラリの残る他方の前記長尺の板状部材を、前記換気口より上方の前記壁部裏面に取付け、前記水切シートの下端部は、前記換気口の下部に止着されて、立ち上がり換気経路が形成されていることを特徴とする換気用ガラリを用いた換気構造。
【請求項５】
請求項１乃至３のいずれか一項に記載の換気用ガラリのいずれか一方の前記長尺の板状部材に予め水切シートの上端部が貼り付けられており、建物の壁部にスリット状の換気口が設けられ、前記換気用ガラリの残る他方の前記長尺の板状部材を、前記換気口より上方の前記壁部裏面に取付け、前記水切シートの下端部は、前記換気口の下部に止着されて、立ち上がり換気経路が形成されていることを特徴とする換気用ガラリを用いた換気構造。
【請求項６】
スリット状の前記換気口には、長尺の目隠し用兼水切用のカバー材が下部を排水用の隙間を確保し固定して設けられていることを特徴とする請求項４又は５に記載の換気用ガラリを用いた換気構造。
【発明の詳細な説明】
【技術分野】
【０００１】
本発明は、建物に設置される換気用ガラリおよび同換気用ガラリを用いた換気構造に関するものである。
【背景技術】
【０００２】
従来、換気用ガラリは、通常、建物の壁部に水平方向に設けられた換気口に直接設置される（例えば特許文献１等を参照）。
【０００３】
また、こうした換気用ガラリには、通常、小径の換気口に設置される小型のものが用いられる（例えば特許文献２等を参照）。
【特許文献１】特開２０００−８５０６号公報
【特許文献２】特開２０００−９７４８７号公報
【発明の開示】
【発明が解決しようとする課題】
【０００４】
しかしながら、上記した従来の換気用ガラリを用いて、屋根裏換気などを行う場合には、この換気用ガラリを水平方向に複数設置しなければならず、手間が掛かるうえに、止水性能を保ったうえで換気性能を高めるには、より多数の換気用ガラリを設置することになり、不経済なだけでなく、意匠的外観を損ねるおそれもあった。
【０００５】
そこで、本発明は、屋根裏換気などを行うために好適に用いることができ、施工性に優れるとともに、経済的であり、換気性能及び止水性能が高く、意匠的外観もよい換気用ガラリおよび同換気用ガラリを用いた換気構造を提供することを目的としている。
【課題を解決するための手段】
【０００６】
前記目的を達成するために、本発明の換気用ガラリは、略平行に配置された長尺の板状部材間に、複数の山形の羽板が長尺方向に間隔をあけて設けられていることを特徴とする。
【０００７】
ここで、前記長尺の板状部材は矩形であり、これら矩形で長尺の板状部材の両端に矩形で短尺の板状部材を設けて枠体が構成されていてもよい。
【０００８】
また、前記換気用ガラリは、長尺方向において、左右の端部パーツ及び少なくとも１個の中間パーツを連結して成り、連結される前記中間パーツの個数で、所要長さに構成されていてもよい。
【０００９】
また、前記長尺の板状部材及び前記複数の山形の羽板は、略平行な板材の間に予め複数の略平行な板状の仕切り部を略等間隔で略垂直に設けた中空構造材から所要角度に上下対称に切り出した部材を重ねて接合し形成されていてもよい。
【００１０】
さらに、本発明の換気用ガラリを用いた換気構造は、上記いずれかの換気用ガラリのいずれか一方の前記長尺の板状部材に予め水切シートの上端部が貼り付けられており、建物の壁部にスリット状の換気口が設けられ、前記換気用ガラリの残る他方の前記長尺の板状部材を、前記換気口より上方の前記壁部裏面に取付け、前記水切シートの下端部は、前記換気口の下部に止着されて、立ち上がり換気経路が形成されていることを特徴とする。
【００１１】
また、スリット状の前記換気口には、長尺の目隠し用兼水切用のカバー材が下部を排水用の隙間を確保し固定して設けられていてもよい。
【発明の効果】
【００１２】
このように構成された本発明の換気用ガラリは、略平行に配置された長尺の板状部材間に、複数の山形の羽板が長尺方向に間隔をあけて設けられた構成なので、屋根裏換気などを行う場合に、従来技術のように多数設置する必要はないので、施工性に優れるとともに、経済的である。また、羽板間の換気経路が山形なので、羽板間の折り返しを有する換気経路を通過する空気が万遍なく羽板の表面に接触することとなり、雨水の浸入は抑制され、高い換気性能を保ったままに止水性能を向上させることができる。さらに、複数の山形の羽板を長尺方向に間隔をあけて設けた縦型の換気用ガラリなので、横型の換気用ガラリとした場合に比べて、長尺の板状部材の間隔を狭くして薄型に（換気用ガラリの高さを低く）でき、片流れの羽板を用いた縦型の換気用ガラリとした場合に比べて、長尺の板状部材の幅を短くでき、間隔の狭いスペースにも設置することができる。そのうえ、薄型のスリムな態様で実施できるので、表面に表れる羽板部分が目立たず、意匠的外観もよい。
【００１３】
ここで、長尺の板状部材は矩形であり、これら矩形で長尺の板状部材の両端に矩形で短尺の板状部材を設けて枠体が構成されている場合は、両端部が補強されるので、換気用ガラリの強度を高めることができる。
【００１４】
また、換気用ガラリが、長尺方向において、左右の端部パーツ及び少なくとも１個の中間パーツを連結して成り、連結される中間パーツの個数で、所要長さに構成されている場合は、適用される建物のニーズにより、求められる換気性能にあわせて換気用ガラリの長さを変えればよく、設計の自由度が高い。
【００１５】
また、長尺の板状部材及び複数の山形の羽板を、略平行な板材の間に予め複数の略平行な板状の仕切り部を略等間隔で略垂直に設けた中空構造材から所要角度に上下対称に切り出した部材を重ねて接合し形成する場合は、加工が簡単なので、換気用ガラリを簡易に製造できる。
【００１６】
さらに、このように構成された本発明の換気用ガラリを用いた換気構造は、上記いずれかの換気用ガラリのいずれか一方の長尺の板状部材に予め水切シートの上端部が貼り付けられており、建物の壁部にスリット状の換気口が設けられ、換気用ガラリの残る他方の長尺の板状部材を、換気口より上方の壁部裏面に取付け、水切シートの下端部は、換気口の下部に止着されて、立ち上がり換気経路が形成されている構成なので、建物内部に雨水が入り込む心配がない。
【００１７】
また、スリット状の換気口に、長尺の目隠し用兼水切用のカバー材が下部を排水用の隙間を確保し固定して設けられる場合は、このカバー材が雨仕舞いの役目を果たすとともに、スリット状の換気口が露出されないので、意匠的外観もよくなる。
【発明を実施するための最良の形態】
【００１８】
以下、本発明の最良の実施の形態について図面に基づいて説明する。
【００１９】
先ず、本実施の形態の換気用ガラリ１は、図１と図２に示したように、平行に配置された矩形で長尺の板状部材２，３と、両端の矩形で短尺の板状部材４，５とから成る枠体６の内側に、複数の山形の羽板７，・・・が長尺方向に一定間隔をあけて設けられた構成である。
【００２０】
この換気用ガラリ１を構成する板状部材２，３，４，５及び羽板７としては、加工が容易で撥水性能を有するポリプロピレン製のものが使用されるが、これに限定されない。すなわち、加工が容易で撥水性能を有するとともに、換気用ガラリ１の用途上、耐火性能を要求されることも多いため、できる限り融点及び引火点が高いものが好適に使用される。
【００２１】
そして、換気用ガラリ１は、図３に示したように、長尺方向において、左側の端部パーツ１Ａ及び４つの中間パーツ１Ｃ，・・・並びに右側の端部パーツ１Ｂを連結して構成されている。
【００２２】
本実施の形態では、中間パーツ１Ｃを４つ連結して用いたが、適用される建物のニーズによって、求められる換気用ガラリ１の長さは異なるので、この中間パーツ１Ｃは、１個以上連結して、その連結される個数で、所要長さに構成される。
【００２３】
ここで、左側の端部パーツ１Ａは、図４と図５（ａ）、（ｂ）に示したように、前後の板状部材２Ａ，３Ａ及び複数の山形の羽板７，・・・を、平行な板材の間に予め複数の平行な板状の仕切り部７ａ，・・・を等間隔で垂直に設けた中空構造材３０から４５度の角度に正面視で直角台形状に上下対称に切り出した部材３１ａ，３１ｂを長尺方向の短辺側の面で重ねて接着剤などで接合するとともに、その左側端部に、矩形で短尺の板状部材４を接着剤などで接合して、正面視が矩形の右側短辺を三角形に切り欠いた形状に構成する。
【００２４】
また、右側の端部パーツ１Ｂは、図６と図７（ａ）、（ｂ）に示したように、前後の板状部材２Ｂ，３Ｂ及び複数の山形の羽板７，・・・を、平行な板材の間に予め複数の平行な板状の仕切り部７ａ，・・・を等間隔で垂直に設けた中空構造材３０から４５度の角度に正面視で直角台形状に上下対称に切り出した部材３２ａ，３２ｂを長尺方向の長辺側の面で重ねて接着剤などで接合するとともに、その右側端部に、矩形で短尺の板状部材５を接着剤などで接合して、正面視が矩形の左側短辺に三角形を付加した形状に構成する。
【００２５】
さらに、中間パーツ１Ｃは、図８と図９（ａ）、（ｂ）に示したように、前後の板状部材２Ｃ，３Ｃ及び複数の山形の羽板７，・・・を、平行な板材の間に予め複数の平行な板状の仕切り部７ａ，・・・を等間隔で垂直に設けた中空構造材３０から４５度の角度に正面視で菱形状に上下対称に切り出した部材３３ａ，３３ｂを長尺方向の面で重ねて接着剤などで接合して、正面視が矢尻形状に構成する。
【００２６】
ここで、この中空構造材３０には、プラスチックダンボール（プラダン）から成る既製品を用いると、換気用ガラリ１を、より簡易に製造できる。
【００２７】
本実施の形態では、中空構造材３０から部材３１ａ，３１ｂ，３２ａ，３２ｂ，３３ａ，３３ｂを切り出す角度を４５度としたが、これに限定されない。必要とされる止水性能及び換気性能のバランスを考慮して、１０度、１５度、３０度など所要の角度にすればよい。
【００２８】
例えば、屋根裏換気を行う場合などには、吸気側に４５度の角度に設けた羽板７，・・・を有する換気用ガラリ１を用い、排気側に１０度の角度に設けた羽板７，・・・を有する換気用ガラリ１を用いることで、止水性能を確保できるとともに、屋根裏空間内の空気の流れがよくなり、効率的な換気が行える。
【００２９】
また、左側のパーツ１Ａ、右側のパーツ１Ｂ及び中間パーツ１Ｃは、これらの端部の羽板７の外側面同士を接着剤などで接合することによって、強固に連結することができ、連結部における止水処理がなされる。
【００３０】
この換気用ガラリ１は、例えば、図１０に示したように、建物１００の屋根裏部分の壁部９にスリット状の換気口１０を設け、この換気口１０に枠材６を嵌め込んで直接設置される。
【００３１】
このように構成された本発明の換気用ガラリ１は、平行に配置された長尺の板状部材２，３の間に、複数の山形の羽板７，・・・が長尺方向に一定間隔をあけて設けられた構成なので、屋根換気などを行う場合に、従来技術のように多数設置する必要はないので、施工性に優れるとともに、経済的である。
【００３２】
また、羽板７，・・・間の換気経路が山形なので、羽板７，・・・間の折り返しを有する換気経路を通過する空気が万遍なく羽板７，・・・の表面に接触することとなり、雨水の浸入は抑制され、高い換気性能を保ったままに止水性能を向上させることができる。
【００３３】
さらに、この換気用ガラリ１は、複数の山形の羽板７，・・・を長尺方向に間隔をあけて設けた縦型の換気用ガラリなので、横型の換気用ガラリとした場合に比べて、長尺の板状部材２，３の間隔を狭くして薄型に（換気用ガラリ１の高さを低く）でき、片流れの羽板を用いた縦型の換気用ガラリとした場合に比べて、長尺の板状部材２，３の幅を短くでき、間隔の狭いスペースにも設置することができる。
【００３４】
そのうえ、薄型のスリムな態様で実施できるので、表面に表れる羽板７，・・・の部分が目立たず、意匠的外観もよい。
【００３５】
ここで、矩形で長尺の板状部材２，３の両端に矩形で短尺の板状部材４，５を設けて枠体６が構成されているので、両端が補強されるため、換気用ガラリ１の強度を高めることができる。
【００３６】
また、換気用ガラリ１は、長尺方向において、左右の端部パーツ１Ａ，１Ｂ及び少なくとも１個の中間パーツ１Ｃを連結して成り、連結される中間パーツ１Ｃの個数で、所要長さに構成されているので、適用される建物のニーズにより、求められる換気性能にあわせて換気用ガラリ１の長さを変えればよく、設計の自由度が高い。
【００３７】
また、前後の板状部材２Ａ，２Ｂ，２Ｃ，３Ａ，３Ｂ，３Ｃ及び複数の山形の羽板７，・・・を、平行な板材の間に複数の平行な板状の仕切り部７ａ，・・・を等間隔で垂直に設けた中空構造材３０から所要角度に上下対称に切り出した部材３１ａ，３１ｂ，３２ａ，３２ｂ，３３ａ，３３ｂを重ねて接合し形成するので、加工が簡単であり、換気用ガラリ１を簡易に製造できる。
【００３８】
次に、本実施の形態の換気用ガラリを用いた換気構造は、例えば、図１１に示したように、建物１００の屋根裏換気を行うために実施される。
【００３９】
先ず、図１２に示したように、上記した換気用ガラリ１の枠体６の後側の面（長尺の板状部材３の表面）に予め水切シート８の上端部が貼り付けられたものを用意する。
【００４０】
また、図１３に示したように、建物１００の壁部９には、スリット状の換気口１０を設けておく。
【００４１】
さらに、図１４に示したように、換気用ガラリ１の前側の面（長尺の板状部材２の表面）を、換気口１０より上方の壁部９の裏面に設けた固定板１１に取付け、水切シート８の下端部は、換気口１０の下部に設けた長尺の目隠し用兼水切用のカバー材１２の基盤部材１２ａ，・・・に止着するとともに、換気口１０上方の壁部９の内側下端部には、水返しシート１５を設けて、立ち上がり換気経路１３が形成された構成である。ここで、点線Ｗで表した矢印が空気の流れを示している。
【００４２】
このカバー材１２は、まず、複数の基盤部材１２ａ，・・・を一定間隔を空けてねじ１２ｂ，・・・でスリット状の換気口１０下部の壁部９に取付け固定するとともに、複数の基盤部材１２ａ，・・・の上から化粧部材１２ｃを嵌め込み、ねじ１２ｄ，・・・で取付け固定して設けられている。複数の基盤部材１２ａ，・・・と化粧部材１２ｃとの下側嵌合部には水切された雨水が排水される隙間１４，・・・が設けられている。
【００４３】
このように構成された本発明の換気用ガラリを用いた換気構造は、上記した換気用ガラリ１の枠体６の後側の面に予め水切シート８の上端部が貼り付けられており、建物の壁部９にスリット状の換気口１０が設けられ、換気用ガラリ１の前側の面を、換気口１０より上方の壁部９の裏面に取付け、水切シート８の下端部は、換気口１０の下部に止着されて、立ち上がり換気経路１３が形成されている構成なので、建物１００内部に雨水が入り込む心配がない。
【００４４】
また、スリット状の換気口１０に、長尺の目隠し用兼水切用のカバー材１２が下部を排水用の隙間１４，・・・を確保し固定して設けられているので、このカバー材１２が雨仕舞いの役目を果たすとともに、スリット状の換気口１０が露出されず、意匠的外観もよい。
【００４５】
以上、図面を参照して、本発明の最良の実施の形態を詳述してきたが、具体的な構成は、この実施の形態に限らず、本発明の要旨を逸脱しない程度の設計的変更は、本発明に含まれる。
【００４６】
例えば、本実施の形態では、便宜上、左右の端部パーツ１Ａ，１Ｂ及び中間パーツ１Ｃを短くし、複数の羽板７，・・・は厚く相互の間隔も大きくして説明した。しかし、実際には、通常、左右の端部パーツ１Ａ，１Ｂ及び中間パーツ１Ｃはもっと長く、複数の羽板７，・・・はもっと薄く相互の間隔も小さく実施される。
【００４７】
また、中空構造材３０から切り出される部材３１ａ，３１ｂ，３２ａ，３２ｂ，３３ａ，３３ｂは、実際には、なるべく無駄のないように同じ中空構造材３０から切り出される。
【図面の簡単な説明】
【００４８】
【図１】本発明の最良の実施の形態の換気用ガラリの概略構成を示す正面図である。
【図２】図１の換気用ガラリの概略構成を示す平面図である。
【図３】図１の換気用ガラリを連結して組み立てることを示す説明図である。
【図４】（ａ）は、図１の換気用ガラリの左側の端部パーツの分解図であり、（ｂ）は、この左側の端部パーツを組み立てた状態を示す斜視図である。
【図５】（ａ）、（ｂ）は、左側の端部パーツを構成する中空構造材から上下対称に切り出した部材を示す平面図である。
【図６】（ａ）は、図１の換気用ガラリの右側の端部パーツの分解図であり、（ｂ）は、この右側の端部パーツを組み立てた状態を示す斜視図である。
【図７】（ａ）、（ｂ）は、右側の端部パーツを構成する中空構造材から上下対称に切り出した部材を示す平面図である。
【図８】（ａ）は、図１の換気用ガラリの中間パーツの分解図であり、（ｂ）は、この中間パーツを組み立てた状態を示す斜視図である。
【図９】（ａ）、（ｂ）は、中間パーツを構成する中空構造材から上下対称に切り出した部材を示す平面図である。
【図１０】建物の屋根裏部分の壁部に図１の換気用ガラリを設置した状態を示す斜視図である。
【図１１】本発明の最良の実施の形態の換気用ガラリを用いた換気構造を適用した建物の概略構成を示す斜視図である。
【図１２】図１の換気用ガラリの片面に水切シートを貼り付けた状態を示す斜視図である。
【図１３】図１１のＡ部における拡大図である。
【図１４】図１３におけるＢ−Ｂ線矢視断面図である。
【符号の説明】
【００４９】
１      換気用ガラリ
２，２Ａ〜２Ｃ      長尺の板状部材
３，３Ａ〜３Ｃ      長尺の板状部材
４      短尺の板状部材
５      短尺の板状部材
６      枠体
１Ａ    左側の端部パーツ
１Ｂ    右側の端部パーツ
１Ｃ    中間パーツ
７ａ    板状の仕切り部
３０    中空構造材
３１ａ，３１ｂ  上下対称に切り出した部材
３２ａ，３２ｂ  上下対称に切り出した部材
３３ａ，３３ｂ  上下対称に切り出した部材
８      水切シート
１００  建物
９      壁部
１０    スリット状の換気口
１２    カバー材
１３    立ち上がり換気経路
１４    隙間
【図１】
0005064959.tif 000002
【図２】
0005064959.tif 000003
【図３】
0005064959.tif 000004
【図４】
0005064959.tif 000005
【図５】
0005064959.tif 000006
【図６】
0005064959.tif 000007
【図７】
0005064959.tif 000008
【図８】
0005064959.tif 000009
【図９】
0005064959.tif 000010
【図１０】
0005064959.tif 000011
【図１１】
0005064959.tif 000012
【図１２】
0005064959.tif 000013
【図１３】
0005064959.tif 000014
【図１４】
0005064959.tif 000015